(57)【要約】      （修正有）【課題】ハンドルを平らな台に置いて、もう一方のハンドルに荷重をかけても倒れにくい野菜潰し器を提供する。【解決手段】先端近くに第１潰し部１を一体的に有する第１ハンドル４と、先端近くに第２潰し部２を一体的に有する第２ハンドル３と、前記第１ハンドル４と前記第２ハンドル３を接続する軸と、前記第１ハンドル４と前記第２ハンドル３の少なくとも一方の外側に形成されて、前記第１潰し部１と第２潰し部２による潰し動作の反力を受け止める受け面とを備える野菜潰し器。【選択図】図１
2012130534.tif 000002
【特許請求の範囲】
【請求項１】
先端近くに第１潰し部を一体的に有する第１ハンドルと、
先端近くに第２潰し部を一体的に有する第２ハンドルと、
前記第１ハンドルと前記第２ハンドルを接続する軸と、
前記第１ハンドルと前記第２ハンドルの少なくとも一方の外側に形成されて、前記第１潰し部と第２潰し部による潰し動作の反力を受け止める受け面とを備える事を特徴とする野菜潰し器。
【請求項２】
前記受け面は、前記第１ハンドル又は第２ハンドルに対して幅方向に広がっている事を特徴とする、請求項１記載の野菜潰し器。
【請求項３】
前記受け面は、前記第１潰し部又は前記第２潰し部の外側まで連続して形成されている事を特徴とする請求項１又は２記載の野菜潰し器。
【請求項４】
前記第１潰し部と前記第２潰し部が閉じられた状態で、内部に方形の空間が形成される事を特徴とする請求項１〜３のいずれかに記載の野菜潰し器。
【請求項５】
前記第１ハンドルと前記第２ハンドルの少なくとも一方向をリング状にした事を特徴とする、請求項１〜４のいずれかに記載の野菜潰し器。
【請求項６】
前記第１ハンドルと前記第２ハンドルの少なくとも一方向を非リング状にした事を特徴とする、請求項１〜４のいずれかに記載の野菜潰し器。
【発明の詳細な説明】
【技術分野】
【０００１】
本発明は、硬く丸みのある野菜を少しの力で滑らずに簡易に砕く食材器具に関するものである。
【背景技術】
【０００２】
飲食物を先端で潰すハサミのような形状の工具があった。（例えば、特許文献１参照）
又対向した銀杏割り体に銀杏を挟みハンドルを握って銀杏を潰す銀杏割り器がある。（例えば、特許文献２参照）
【先行技術文献】
【特許文献】
【０００３】
【特許文献１】実用新案出願公告  昭２７−２２７０（実用新案の性質、作用及び効果の要領、第１図）
【特許文献２】特開平８−０５６８５８（構成、図３）
【発明の概要】
【発明が解決しようとする課題】
【０００４】
しかしながら、特許文献１と２は力のない人は握力に頼って潰す器具だと荷重が握力によって決まり、かけられる握力に限界があったので硬い食材のものは容易に潰せない。
特許文献１は先端の扁平板が角度をもって開く為、表面が硬くて滑り易いも食材は扁平版に挟んだ時に滑って逃げやすい。
ハンドルを平らな台に置いて、もう一方のハンドルに荷重をかけると、平の台の側に接するハンドルが丸みを帯びていると横に倒れやすい。
【０００５】
本発明はこのような従来の問題を解決しようとするもので、ハンドルを平らな台に置いて、もう一方のハンドルに荷重をかけても倒れにくい野菜潰し器を提供する事を目的とする。
【課題を解決するための手段】
【０００６】
本発明は、先端近くに第１潰し部を一体的に有する第１ハンドルと、先端近くに第２潰し部を一体的に有する第２ハンドルと、前記第１ハンドルと前記第２ハンドルを接続する軸と、前記第１ハンドルと前記第２ハンドルの少なくとも一方の外側に形成されて、前記第１潰し部と前記第２潰し部による潰し動作の反力を受け止める受け面とを備える事を特徴とする野菜潰し器。又、前記受け面は、前記第１ハンドル又は第２ハンドルに対して幅方向に広がっている事を特徴とするものである。更に、前記受け面は、前記第１潰し部又は前記第２潰し部の外側まで連続して形成されている事を特徴とするものである。更に、前記第１潰し部と前記第２潰し部が閉じられた状態で、内部に方形の空間が形成される事を特徴とするものである。更に、前記第１ハンドルと前記第２ハンドルの少なくとも一方向をリング状にした事を特徴とするものである。更に、前記第１ハンドルと前記第２ハンドルの少なくとも一方向を非リング状にした事を特徴とするものである。
【発明の効果】
【０００７】
力のない人でも握力に頼る事なく、平な台に工具を置いてハンドルに体重をかける事ができるので、硬い食材でも容易に潰せるようになった。
先端潰し部の先端をつぼめる事によって食材を先端潰し部の中に保持する事ができるようになり、表面が硬くて滑り易いも食材も先端潰し部の先端から逃げなくなった。
下ハンドル下部に幅をもたせて平にする事により、平らな台と下ハンドル下部とが密着する事によって体重をハンドルに掛けても野菜潰し器が倒れにくくなった。
【図面の簡単な説明】
【０００８】
【図１】本発明の実施例１の正面図である。
【図２】図１のＡ矢視図である。
【図３】実施例１の軸を動かす事による先端潰し部の開脚を示した正面図である。
【図４】実施例１を上部から示す図である。
【図５】実施例１の、軸カバーを軸受けの下側に動かした図である。
【図６】実施例１の、軸カバーを軸受けの上側に動かした図である。
【図７】実施例1の、軸受けを示した図である。
【図８】実施例1の軸を示した図である。
【図９】本発明の実施例２の正面図である
【図１０】実施例２の軸を動かす事による、中潰し部の開脚を示した正面図である。
【図１１】実施例２の違う形状のハンドルを示した図である。
【図１２】図９のＢ矢視図である。
【図１３】実施例３の正面図である。
【発明を実施するための形態】
【０００９】
本発明を図１に実施例１として示す。野菜潰し器は、図１に示されるように、第１潰し部１と第２潰し部２は食材を挟み潰すところである。第１潰し部１は、先端の上側に形成されており、第２潰し部２は、先端の下側に形成されている。滑り止め加工部２６は食材が滑らないように滑り止め加工がなされている。第１端潰し部１は食材が外に逃げないように滑り止め加工部２６側に凸部を設けている。第２潰し部２は食材が外に逃げないように滑り止め加工部２６側に凸部を設けている。第１潰し部１と第２潰し部２は軸カバー５と軸受け６によって開脚できるように構成されている。第１潰し部１は第１ハンドル４と一体でできており、第１ハンドル４の外側を受け面１００にしている。第２ハンドル３の外側を受け面１００にしている。又第２潰し部２は第２ハンドル３と一体でできている。第２ハンドル３は、後方の上側に形成されており、第１ハンドル４は、後方の下側に形成されている。第２ハンドル３と第１ハンドル４を動かすと軸カバー５と軸受け６によって第１端潰し部１と第２潰し部２が開脚する。第１潰し部１と第２潰し部２の間に食材１９を挟んでいる。又は第２ハンドル３と第１ハンドル４をリング２３にして、指をリング２３の中に入れて上下に動かせる事もできる。柔らかい食材の時には第２ハンドル３と第１ハンドル４を手に持って食材を潰す事ができる。
【００１０】
図２は、図１の後方から見た矢視図Ａである。第１ハンドル４は第２ハンドル３を上から押された時に台の上で安定するように受け面１００を設けた下端部で、野菜潰し器が転倒しにくいようにしている。
【００１１】
図３は、軸カバー５を軸受け６の上方向にスライドさせ、第１潰し部１と第２潰し部２の間隔を広げたものである。
【００１２】
図４は、図１の上から見た図である。
【００１３】
図５は、図１の軸カバー５を軸受け６の上方向にスライドさせる為の構造を示したものである。第１潰し部１と第２端潰し部２の間隔を広げて、軸カバー５を軸受け６の中を上方向に移動させる事ができる。図５は軸受けの下側に軸カバーを示した図である。図６は図１の軸カバー５を上方向に移動させた後の図である。
【００１４】
図７は、図１の第２潰し部２にある軸受け６の形状を示した図である。
【００１５】
図８は、軸２０と軸カバー５の側面図を示した図である。又、底面図には軸２０の一部を細くしたところを示した図である。軸２０が軸受け６の間を移動できるようにしている。
【００１６】
次に図1にて、動作について説明する。例えば食材１９がゴボウの場合について説明する。第２ハンドル３と第１ハンドル４を開いて第１潰し部１と第２潰し部２を開いてゴボウを挟む。第２ハンドル３と第１ハンドル４を握って第１潰し部1と第２潰し部２でゴボウを潰す事ができる。第１潰し部１と第２潰し部２に収まらないくらいの太目のゴボウを潰す時には、軸カバー５を軸受け６からずらして第１潰し部１と第２潰し部２の間隔を広げてゴボウを挟む。第２ハンドル３と第１ハンドル４を握って第１潰し部１と第２潰し部２でゴボウを潰す事ができる。
【００１７】
ゴボウが硬い場合や握力が少ない人が使用する場合は、第２ハンドル３だけを握って持ち上げて第１潰し部１と第２潰し部２を開いてゴボウを挟む。第２ハンドル３に荷重をかけてゴボウを潰す。第１ハンドル４を平らな台に乗せて第２ハンドル３を閉じる方向に荷重をかける事によってゴボウを潰す事ができる。
実施例をゴボウにしたが、にんにくやアスパラガス、ピスタチオ、銀杏などの食材の潰し器として利用できる。
【００１８】
図９は、本発明の実施例２を示す。第１潰し部１１は第１ハンドル９と一体でできており、先端に軸カバー７を有する。第２潰し部１２は第２ハンドル１０と一体でできており、先端に軸受け８を有する。滑り止め加工部２６は食材が滑らないように滑り止め加工がなされている。第１ハンドル９は、後方の上側に形成されており、第２ハンドル１０は、後方の下側に形成されている。第１ハンドル１０の外側を受け面１００にしている。第１ハンドル９と第１潰し部１１の先端部の軸受け８と軸カバー７は接続されている。第１ハンドル９はリング２４にして、指をリング２４の中に入れて上下に動かせる事もできる。本発明の野菜潰し器は、図９に示されるように、第１潰し部１１と第２潰し部１２は食材を挟み潰すところである。第１潰し部１１と第２潰し部１２は、軸カバー７と軸受け８によって開脚できるように構成されている。第１潰し部１１と第１ハンドル９は一体でできている。又第２潰し部１２と第２ハンドル１０は一体でできている。第１ハンドル９を上下に動かすと、第１中潰し部１１と第２潰し部１２が開脚する。第１潰し部１１と第２潰し部１２の間に食材を挟んで第１ハンドル９を下に押す事によって食材を潰す事ができる。
【００１９】
図１０は、軸カバー７を軸受け８を上方向にスライドさせ、第１潰し部１１と第２潰し部１２の間隔を広げたものである。
【００２０】
図１０は、図５と同様に第１潰し部１１と第２潰し部１２の間隔を広げて、軸カバー７を軸受け８の中を上方向に移動させる事ができる。移動させる事によって第１潰し部１１と第２潰し部１２の間を広げたものである。
【００２１】
図１１は、本発明の実施例３を示す。第１潰し部１７は第１ハンドル１５と一体でできており、先端に軸カバー１３を有する。滑り止め加工部２６は食材が滑らないように滑り止め加工がなされている。第２潰し部１８は第２ハンドル１６と一体でできており、先端に軸受け１４を有する。第２ハンドル１６の外側を受け面１００にしている。第１ハンドル１５は、後方の上側に形成されており、第２ハンドル１６は、後方の下側に形成されている。第１ハンドル１５と第１潰し部１７の先端部の軸受け１４と軸カバー１３は接続されている。
【００２２】
図１２は、図９のＢ矢視図である。第２ハンドル１０の下端部を広げ第１ハンドル９を下に押した時に野菜潰し器が転倒しにくいようにしている。第２ハンドル１０の外側を受け面１００にしている。
【００２３】
図１３は、本発明の実施例３を示す。第１潰し部２７は第１ハンドル２１と一体でできており、先端に軸カバー３０を有する。滑り止め加工部２６は食材が滑らないように滑り止め加工がなされている。第２潰し部２８は第２ハンドル２２と一体でできており、先端に軸受け２９を有する。第１ハンドル２１と第１潰し部２７の先端部の軸受け２９と軸カバー３０は接続されている。第２ハンドル２２の外側を受け面１００にしている。第１ハンドル２１と第２ハンドル２２はリング２５にして、指をリング２５の中に入れて上下に動かせる事もできる野菜潰し器である。
【産業上の利用可能性】
【００２４】
本発明は野菜潰し器として、ゴボウ、にんにく、アスパラガス、ピスタチオ、銀杏などの食材の潰し器として利用可能である。
【符号の説明】
【００２５】
１    第１潰し部
２    第２潰し部
３    第２ハンドル
４    第１ハンドル
５    軸カバー
６    軸受け
７    軸カバー
８    軸受け
９      第１ハンドル
１０    第２ハンドル
１１    第１潰し部
１２    第２潰し部
１３    軸カバー
１４    軸受け
１５    第１ハンドル
１６    第２ハンドル
１７    第１潰し部
１８    第２潰し部
１９    食材
２０    軸
２１    第１ハンドル
２２    第２ハンドル
２３    リング
２４    リング
２５    リング
２６    滑り止め加工部
２７    第１潰し部
２８    第２潰し部
２９    軸受け
３０    軸カバー
１００  受け面
【図１】
2012130534.tif 000003
【図２】
2012130534.tif 000004
【図３】
2012130534.tif 000005
【図４】
2012130534.tif 000006
【図５】
2012130534.tif 000007
【図６】
2012130534.tif 000008
【図７】
2012130534.tif 000009
【図８】
2012130534.tif 000010
【図９】
2012130534.tif 000011
【図１０】
2012130534.tif 000012
【図１１】
2012130534.tif 000013
【図１２】
2012130534.tif 000014
【図１３】
2012130534.tif 000015
【手続補正書】
【提出日】平成23年6月9日(2011.6.9)
【手続補正１】
【補正対象書類名】特許請求の範囲
【補正対象項目名】全文
【補正方法】変更
【補正の内容】
【特許請求の範囲】
【請求項１】
先端近くに第１潰し部を一体的に有し、外側に形成されたリング状の第１ハンドルと、先端近くに第２潰し部を一体的に有し、外側に形成されたリング状の第２ハンドルと、前記第１ハンドルと前記第２ハンドルを接する軸と、前記第１潰し部と前記第２潰し部による潰し動作の反力を受け止める幅方向に広がっている受け面とを備える事を特徴とする野菜潰し器。
【請求項２】
前記第１潰し部と前記第２潰し部が閉じられた状態で、内部に方形の空間が形成される事を特徴とする請求項１に記載の野菜潰し器。
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
先端近くに第１潰し部を一体的に有し、外側に形成されたリング状の第１ハンドルと、先端近くに第２潰し部を一体的に有し、外側に形成されたリング状の第２ハンドルと、前記第１ハンドルと前記第２ハンドルを接続する軸と、前記第１潰し部と前記第２潰し部による潰し動作の反力を受け止める幅方向に広がっている受け面をリング状の前記第一ハンドル或いは前記第２ハンドルの外側に設けられている事を特徴とする野菜潰し器。
【請求項２】
前記第１潰し部と前記第２潰し部が閉じられた状態で、内部に方形の空間が形成される事を特徴とする請求項１に記載の野菜潰し器。
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
先端近くに第１潰し部を一体的に有し、外側に形成されたリング状の第１ハンドルと、先端近くに第２潰し部を一体的に有し、外側に形成されたリング状の第２ハンドルと、前記第１ハンドルと前記第２ハンドルを接続する軸と、前記第１潰し部と前記第２潰し部による潰し動作の反力を受け止める幅方向に広がっている受け面とを備えており、前記受け面はリング状の前記第一ハンドル或いは前記第２ハンドルの外側に設けられている事を特徴とする野菜潰し器。
【請求項２】
前記第１潰し部と前記第２潰し部が閉じられた状態で、内部に方形の空間が形成される事を特徴とする請求項１に記載の野菜潰し器。